(57)【要約】【課題】  ユーザ及び金融機関のみで、容易且つ安全確実に口座開設を行うことができる口座開設システムを提供する。【解決手段】  本発明の口座開設システムの電子銀行サーバ１０は、ネットワーク６０と通信可能に接続する通信制御部１１と、口座ＤＢ１６と、決済処理部１７と、スキャナシステム８０で読み取った画像情報を取り込むＩ／Ｏ  ＩＦ１４と、画像情報をテキストデータに変換するデータ変換処理部１３と、ＷｅｂＤＢ１８と、本人確認情報を入力させて受信するためのＷｅｂコンテンツを提供し、Ｗｅｂコンテンツに入力された本人確認情報を受信し、データ変換処理部１３で変換されたテキストデータと、受信した本人確認情報を比較し、該データと該情報が一致した場合に、新規の口座情報を記憶することによって新規の口座を口座ＤＢ１６に開設する口座開設処理部１２と、本人確認情報と、テキストデータを記憶する申込情報ＤＢ１５と、を備える。【選択図】  図２
2006251944.tif 000002
【特許請求の範囲】
【請求項１】
金融機関に口座を開設するための口座開設システムであって、
本人確認情報が記載された本人確認書類から当該本人確認情報を画像情報として読み取る画像読取手段と、
前記画像読取手段で読み取った画像情報をテキストデータに変換するデータ変換処理手段と、
ネットワークを介して入力された本人確認情報を受信し、前記データ変換処理手段で変換された前記テキストデータと、受信した前記本人確認情報を比較し、該データと該情報が一致した場合に、新規の口座を開設する口座開設処理手段と、
を備える、ことを特徴とする口座開設システム。
【請求項２】
さらに、前記口座開設処理手段で受信した前記本人確認情報と、前記データ変換処理手段で変換されたテキストデータを記憶する申込情報記憶手段を備え、
前記口座開設処理手段は、前記申込情報記憶手段に記憶されている前記テキストデータと前記本人確認情報を比較し、該データと該情報が一致した場合に、新規の口座を開設する、
ことを特徴とする請求項１記載の口座開設システム。
【請求項３】
前記ネットワークは、インターネットまたはイントラネットである、ことを特徴とする請求項１または２記載の口座開設システム。
【請求項４】
さらに、口座開設用のＷｅｂコンテンツを記憶するＷｅｂＤＢ（Ｄａｔａ  Ｂａｓｅ）を備え、
前記口座開設処理手段は、本人確認情報を受信するためのＷｅｂコンテンツを提供する、ことを特徴とする請求項３記載の口座開設システム。
【請求項５】
さらに、口座情報を記憶する口座情報記憶手段を備え、
前記口座開設処理手段は、前記口座情報記憶手段に新規の口座情報を記憶することによって、新規の口座を開設する、ことを特徴とする請求項１から４何れか記載の口座開設システム。
【請求項６】
前記口座開設処理手段は、新規の口座を開設した場合、開設完了の通知を電子メールで行う、ことを特徴とする請求項１から５何れか記載の口座開設システム。
【請求項７】
前記画像読取手段は、スキャナ装置である、ことを特徴とする請求項１から６何れか記載の口座開設システム。
【請求項８】
前記データ変換処理手段は、ＯＣＲソフトウェアの実行によって画像情報をテキストデータに変換する、ことを特徴とする請求項１から７何れか記載の口座開設システム。
【請求項９】
画像読取手段と、データ変換処理手段と、口座開設処理手段と、を備える口座開設システムにおいて、口座を開設する口座開設方法であって、
（Ａ）前記口座開設処理手段によって、ネットワークを介して入力された本人確認情報を受信し、
（Ｂ）前記画像読取手段によって、本人確認情報が記載された本人確認書類から当該本人確認情報を画像情報として読み取り、
（Ｃ）前記データ変換処理手段によって、前記ステップ（Ｂ）で読み取った画像情報をテキストデータに変換し、
（Ｄ）前記口座開設処理手段によって、前記ステップ（Ａ）で受信した前記本人確認情報と、前記ステップ（Ｃ）で変換された前記テキストデータとを比較し、該データと該情報が一致した場合に、新規の口座を開設する、
ことを特徴とする口座開設方法。
【請求項１０】
前記口座開設システムは、さらに、申込情報記憶手段を備え、
前記ステップ（Ａ）において、前記申込情報記憶手段によって、受信した前記本人確認情報を記憶し、
前記ステップ（Ｃ）において、前記申込情報記憶手段によって、変換されたテキストデータを記憶し、
前記ステップ（Ｄ）において、前記口座開設処理手段によって、前記ステップ（Ａ）及び前記ステップ（Ｃ）で記憶された前記本人確認情報及び前記テキストデータを比較し、該データと該情報が一致した場合に、新規の口座を開設する、
ことを特徴とする請求項９記載の口座開設方法。
【請求項１１】
前記口座開設システムは、さらに、口座情報記憶手段を備え、
前記ステップ（Ｄ）において、前記口座開設処理手段によって、前記口座情報記憶手段に新規の口座情報を記憶することによって、新規の口座を開設する、
ことを特徴とする請求項９または１０記載の口座開設方法。
【請求項１２】
さらに、ステップ（Ｅ）前記口座開設処理手段によって、前記ステップ（Ｄ）で新規の口座を開設した場合、開設完了の通知を電子メールで行う、ことを特徴とする請求項９から１１何れか記載の口座開設方法。
【請求項１３】
口座を開設するためのプログラムであって、前記請求項１から８何れか記載の口座開設システムの機能を、コンピュータに実現させる、ことを特徴とするプログラム。
【請求項１４】
口座を開設するためのプログラムであって、前記請求項９から１２何れか記載の口座開設方法の処理を、コンピュータに実行させる、ことを特徴とするプログラム。
【発明の詳細な説明】
【技術分野】
【０００１】
本発明は、インターネットなどのコンピュータネットワーク上で決済処理を行う電子決済システムにおける口座開設システム、口座開設方法及びプログラムに関する。特には、電子決済システムにおいて手間やコストを掛けずに、安全且つ確実に新規口座を開設することができる口座開設システム、口座開設方法及びプログラムに関する。
【背景技術】
【０００２】
近年において、インターネットのような自由なネットワーク環境を背景に、ＷＷＷ（Ｗｏｒｌｄ  Ｗｉｄｅ  Ｗｅｂ）などのマルチメディア環境が整備されてきた。特に、最近では、このインターネットを利用して特定のサービスを行うインターネットビジネス（ｅビジネス）といわれるものが多く提案され運営されている。
【０００３】
このインターネットビジネス（ｅビジネス）においては、ネットワーク上で様々なサービスが存在し、これらのサービスに対する決済処理もネットワーク上で行うことができるようになっている。
【０００４】
また、ネットワーク上で提供される商品やサービスの支払い等に利用されるネットバンキング（電子銀行）も運営され、更に、一般の銀行においてもネットワークを利用した様々なサービスが提供されている。
【０００５】
このような銀行などの金融機関での新規の口座開設時には、必ず本人を確認するための本人確認書類（運転免許証の写し、住民票、健康保険証の写し、パスポートの写し等）の提出が義務付けられており、金融機関ではこれらの本人確認書類の内容を精査し、当該書類に記載されている住所・本人宛に取引関連書類（キャッシュカード等）を送付している。
【０００６】
この本人確認書類の提出は、一般的には、紙に印刷された運転免許証の写し、住民票、健康保険証の写し、パスポートの写し等を直接金融機関に送付又は持参して行なわれている。
【０００７】
また、特願２００１−３１１６４０号公報には、ユーザの口座申込時にユーザ端末から送信されるユーザの氏名、住所、契約者番号などの申込情報を取得し、事業者の事業者システムから送信されるユーザの氏名、住所、契約者番号などの契約情報を取得し、申込情報と契約情報とを比較し、両情報が一致した場合にユーザーの本人確認が成功したものと判断し、ユーザーに対して新規口座を自動的に開設するものが記載されている。
【０００８】
これにより、ユーザにとって口座開設の申し込み手続に要する労力を軽減することができ、また、銀行などの金融機関にとって口座開設の処理にかかる手間や時間を少なくすることができる。
【特許文献１】特願２００１−３１１６４０号公報
【発明の開示】
【発明が解決しようとする課題】
【０００９】
しかしながら、上述したような口座開設方法によれば、一般的な方法では、本人確認書類の提出は、一般的には、紙に印刷された運転免許証の写し、住民票、健康保険証の写し、パスポートの写し等を直接金融機関に送付又は持参して行なわなければならず、手間や時間がかかるという問題があった。また、本人確認書類は、運転免許証等の原本をコピーして用いられるため、記載文字や本人の顔写真等が不鮮明になる場合があった。更に、本人確認書類は紙でのみ保存されるため、その保存や管理に手間がかかり、本人確認書類の劣化が生じるという問題があった。
【００１０】
また、特願２００１−３１１６４０号公報の方法では、ユーザの情報を有する事業者のシステムが、ユーザ端末及び金融機関システムと同一のネットワーク上に個人情報閲覧可能に接続されている必要があり、ユーザと金融機関以外の事業体の介在が必ず必要となり、更に、事業者側へセキュリティ上の負担をかけることにもなる。
【００１１】
従って、本発明の目的は、ユーザ及び金融機関のみで、容易且つ安全確実に口座開設を行うことができる口座開設システム、口座開設方法及びプログラムを提供することである。
【課題を解決するための手段】
【００１２】
上記課題を解決するため、本発明の口座開設システムは、金融機関に口座を開設するための口座開設システムであって、本人確認情報が記載された本人確認書類から当該本人確認情報を画像情報として読み取る画像読取手段と、画像読取手段で読み取った画像情報をテキストデータに変換するデータ変換処理手段と、ネットワークを介して入力された本人確認情報を受信し、データ変換処理手段で変換されたテキストデータと、受信した本人確認情報を比較し、該データと該情報が一致した場合に、新規の口座を開設する口座開設処理手段と、を備える、ことを特徴とする。
【００１３】
さらに、口座開設処理手段で受信した本人確認情報と、データ変換処理手段で変換されたテキストデータを記憶する申込情報記憶手段を備え、口座開設処理手段は、申込情報記憶手段に記憶されているテキストデータと本人確認情報を比較し、該データと該情報が一致した場合に、新規の口座を開設する、ことができる。
【００１４】
また、ネットワークは、インターネットまたはイントラネットである、ようにするとよい。このとき、さらに、口座開設用のＷｅｂコンテンツを記憶するＷｅｂＤＢ（Ｄａｔａ  Ｂａｓｅ）を備え、口座開設処理手段は、本人確認情報を受信するためのＷｅｂコンテンツを提供する、ことができる。
【００１５】
さらに、口座情報を記憶する口座情報記憶手段を備え、口座開設処理手段は、口座情報記憶手段に新規の口座情報を記憶することによって、新規の口座を開設する、ことができる。
【００１６】
また、口座開設処理手段は、新規の口座を開設した場合、開設完了の通知を電子メールで行う、ことができる。
【００１７】
また、画像読取手段は、スキャナ装置である、ようにするとよい。
【００１８】
また、データ変換処理手段は、ＯＣＲソフトウェアの実行によって画像情報をテキストデータに変換する、ようにすることができる。
【００１９】
また、上記課題を解決するため、本発明の口座開設方法は、画像読取手段と、データ変換処理手段と、口座開設処理手段と、を備える口座開設システムにおいて、口座を開設する口座開設方法であって、（Ａ）口座開設処理手段によって、ネットワークを介して入力された本人確認情報を受信し、（Ｂ）画像読取手段によって、本人確認情報が記載された本人確認書類から当該本人確認情報を画像情報として読み取り、（Ｃ）データ変換処理手段によって、ステップ（Ｂ）で読み取った画像情報をテキストデータに変換し、（Ｄ）口座開設処理手段によって、ステップ（Ａ）で受信した本人確認情報と、ステップ（Ｃ）で変換されたテキストデータとを比較し、該データと該情報が一致した場合に、新規の口座を開設する、ことを特徴とする。
【００２０】
ここで、口座開設システムは、さらに、申込情報記憶手段を備え、ステップ（Ａ）において、申込情報記憶手段によって、受信した本人確認情報を記憶し、ステップ（Ｃ）において、申込情報記憶手段によって、変換されたテキストデータを記憶し、ステップ（Ｄ）において、口座開設処理手段によって、ステップ（Ａ）及びステップ（Ｃ）で記憶された本人確認情報及び前記テキストデータを比較し、該データと該情報が一致した場合に、新規の口座を開設する、ようにすることができる。
【００２１】
また、口座開設システムは、さらに、口座情報記憶手段を備え、ステップ（Ｄ）において、口座開設処理手段によって、口座情報記憶手段に新規の口座情報を記憶することによって、新規の口座を開設する、ことができる。
【００２２】
さらに、ステップ（Ｅ）口座開設処理手段によって、ステップ（Ｄ）で新規の口座を開設した場合、開設完了の通知を電子メールで行う、ことができる。
【００２３】
また、上記課題を解決するため、本発明の第１の態様のプログラムは、口座を開設するためのプログラムであって、上述した口座開設システムの機能を、コンピュータに実現させる、ことを特徴とする。
【００２４】
また、上記課題を解決するため、本発明の第２の態様のプログラムは、口座を開設するためのプログラムであって、上述した口座開設方法の処理を、コンピュータに実行させる、ことを特徴とする。
【発明の効果】
【００２５】
本発明の口座開設システム、口座開設方法及びプログラムによれば、本人確認書類をデータ変換によってテキストデータで作成し、ネットワークを介して予め入力された本人確認情報と比較することによって、ユーザ及び金融機関のみで、容易且つ安全確実に口座開設を行うことができる。
【発明を実施するための最良の形態】
【００２６】
以下、図面を参照して本発明の口座開設システム、口座開設方法及びプログラムの実施の形態を説明する。
【００２７】
図１は、本発明の口座開設システムの一形態を示す図である。この口座開設システムは、ユーザの口座を開設し口座情報などを有する金融機関の電子銀行サーバ１０と、電子銀行サーバ１０に口座を開設するための本人確認情報を送信する通信機器であるカメラ付携帯電話２０及びＰＣ（Ｐｅｒｓｏｎａｌ  Ｃｏｍｐｕｔｅｒ）３０などの端末（以下、単に「端末２０，３０」ともいう）と、カメラ付携帯電話２０の通信キャリア４０と、ＰＣ３０のプロバイダ５０と、電子銀行サーバ１０、カメラ付携帯電話２０、ＰＣ３０、通信キャリア４０及びプロバイダ５０を通信可能に接続するネットワーク６０と、を備えている。
【００２８】
ここで、ネットワーク６０は、インターネットやイントラネットを利用して構築することができる。
【００２９】
また、運転免許証、各種健康保険証、パスポート、住民票の写し、印鑑証明書、外国人登録原票記載事項証明書などのいわゆる本人確認法施行規則定める書類の原本または写し（コピー）（以下、単に「本人確認書類」ともいう）７０は、郵送、ファクシミリ、電子メールなどによって電子銀行サーバ１０に送付される。
【００３０】
図２は、本発明の口座開設システムの電子銀行サーバ１０とスキャナシステム８０の一形態を示す図である。このスキャナシステム（スキャナ装置）８０は、本人確認情報（氏名、住所、生年月日、当該書類の有効期限、登録番号（後述する）等を含む）が記載された本人確認書類７０から当該本人確認情報を画像情報として読み取る画像読取機能を備えている。
【００３１】
また、電子銀行サーバ１０は、ネットワーク６０と通信可能に接続する通信制御部１１と、口座情報を記憶する口座ＤＢ（Ｄａｔａ  Ｂａｓｅ）１６と、口座ＤＢ１６の口座情報に基づいて決済処理を行う決済処理部１７と、スキャナシステム８０に接続され、スキャナシステム８０で読み取った画像情報を取り込むＩ／Ｏ  ＩＦ（Ｉｎｐｕｔ／Ｏｕｔｐｕｔ  Ｉｎｔｅｒ  Ｆａｃｅ）１４と、Ｉ／Ｏ  ＩＦ１４で取り込んだ画像情報をテキストデータに変換するデータ変換処理部１３と、口座開設用のＷｅｂコンテンツを記憶するＷｅｂＤＢ１８と、ネットワーク６０を介して端末２０，３０にＷｅｂＤＢ１８に記憶されている本人確認情報を入力させて受信するためのＷｅｂコンテンツを提供し、ネットワーク６０を介して端末２０，３０からＷｅｂコンテンツに入力された本人確認情報を受信し、データ変換処理部１３で変換されたテキストデータと、受信した本人確認情報を比較し、該データと該情報が一致した場合に、新規の口座情報を記憶することによって新規の口座を口座ＤＢ１６に開設する口座開設処理部１２と、口座開設処理部１２で受信した本人確認情報と、データ変換処理部１３で変換されたテキストデータを記憶する申込情報ＤＢ１５と、を備えている。
【００３２】
ここで、口座開設処理部１２は、申込情報ＤＢ１５に記憶されているテキストデータと本人確認情報を比較し、該データと該情報が一致した場合に、口座ＤＢ１６に新規の口座を開設する。
【００３３】
また、口座開設処理部１２は、新規の口座を開設した場合、開設完了を電子メールで端末２０，３０に通知する。
【００３４】
また、データ変換処理部１３は、ＯＣＲソフトウェアの実行によって画像情報をテキストデータに変換する。
【００３５】
図３は、本発明の口座開設方法のフローチャートである。図１〜図３において、ユーザは、端末２０，３０から電子銀行サーバ１０に本人確認情報（氏名、住所、生年月日など）をＷｅｂコンテンツを介して入力し、新規口座の開設申込を行う（ステップ２０１）。この入力が完了すると、電子銀行サーバ１０の口座開設処理部１２から登録番号が付与される。口座開設処理部１２は、受け取った本人確認情報（氏名、住所、生年月日など）と登録番号を関連付けて申込情報ＤＢ１５に記憶する。
【００３６】
そして、電子銀行サーバ１０は、ユーザの確認のため、本人確認書類の提出を要求する。ユーザは、この要求に応じて、運転免許証、各種健康保険証、パスポート、住民票の写し、印鑑証明書、外国人登録原票記載事項証明書などの本人確認書類７０を準備し作成する（ステップ２０２）。
【００３７】
ここで、カメラ付携帯電話２０に搭載されたカメラで運転免許証、住民票、健康保険証、パスポート等を撮影し本人確認書類７０のデジタルデータを作成ことができる。または、運転免許証、住民票、健康保険証、パスポート等をデジタルカメラ（図示せず）で撮影したりスキャナ（図示せず）で読み取ったりして作成することもできる。
【００３８】
準備された本人確認書類７０は、郵送、ファクシミリ、電子メールなどで金融機関宛てに送付される（ステップ２０３）。
【００３９】
金融機関では、本人確認書類７０を受け取り（ステップ２０４）、スキャナシステム（スキャナ装置）８０で、本人確認情報（氏名、住所、生年月日、当該書類の有効期限、登録番号等を含む）が記載された本人確認書類７０から当該本人確認情報を画像情報（デジタルデータ）として読み取る（ステップ２０５）。
【００４０】
データ変換処理部１３は、スキャナシステム８０によって読み取った画像情報を受け取り、氏名、住所、生年月日、当該書類の有効期限、登録番号等をテキストデータに変換し、申込情報ＤＢ１５に記憶する（ステップ２０６）。ここで、予め本人確認書類７０がデジタルデータの場合は、ステップ２０５の処理を行う必要はない。また、本人確認書類７０の画像データやテキストデータは、登録番号を付して登録管理される。また、本人確認書類７０の画像データやテキストデータは、金融機関側で画面や紙に出力して確認することができる。
【００４１】
次に、口座開設処理部１２は、登録番号に基づいて、本人確認情報と、テキストデータとを比較する確認チェックを行い（ステップ２０７）、該データと該情報が一致し、当該書類の有効期限が承認された場合に、口座ＤＢ１６に新規の口座情報を記憶することによって新規の口座を開設する（ステップ２１０）。
【００４２】
そして、口座開設処理部１２は、新規の口座を開設した場合、開設完了の通知を電子メールで端末２０，３０に行う（ステップ２１１）。そして、当該本人確認書類７０に記載されている住所・本人宛に取引関連書類（キャッシュカード等）を送付して口座開設の処理を終了する。
【００４３】
ステップ２０７で、本人確認ができなっかた場合には、エラー通知を行い（ステップ２０８）、ユーザが本人確認情報の修正などをする場合には（ステップ２０９）、ステップ２０１からの処理を行なう。
【図面の簡単な説明】
【００４４】
【図１】本発明の口座開設システムの一形態を示す図である。
【図２】本発明の口座開設システムの電子銀行サーバとスキャナシステムの一形態を示す図である。
【図３】本発明の口座開設方法の一例を示すフローチャートである。
【符号の説明】
【００４５】
１０  電子銀行サーバ
１１  通信制御部
１２  口座開設処理部
１３  データ変換処理部
１４  Ｉ／Ｏ  ＩＦ
１５  申込情報ＤＢ
１６  口座ＤＢ
１７  決済処理部
１８  ＷｅｂＤＢ
２０  端末（カメラ付携帯電話）
３０  端末（ＰＣ）
３０Ｃ  ＦＤ
４０  通信キャリア
５０  プロバイダ
６０  ネットワーク
７０  本人確認書類
８０  スキャナシステム（スキャナ装置）
【図１】
2006251944.tif 000003
【図２】
2006251944.tif 000004
【図３】
2006251944.tif 000005